(57)【要約】【課題】本発明は、宝くじをより効果的かつ継続的に景品として利用できる販売システムを開発しようとするものである。【解決手段】（イ）　商品購入者は、商品購入金額に応じた持分の宝くじ当選金受取りの権利を得ることができる。（ロ）　紹介者は、被紹介者が商品を購入する毎に、被紹介者の商品購入金額に応じた持分の宝くじ当選金受取りの権利を、被紹介者と共に得ることができる。（ハ）　被紹介者は、紹介者が商品を購入する毎に、紹介者の商品購入金額に応じた持分の宝くじ当選金受取りの権利を、紹介者と共に得ることができる。（ニ）　（ロ）に於いての紹介者や（ハ）に於いての被紹介者は、自らも一定期間内に商品を購入する必要がある。（ホ）　販売業者は宝くじを保管管理し、当選発表迄に該当するグループ内の宝くじ番号のリストを、当選金受取りの権利を有する全員に送付し、グループ内から当選金が発生した場合は、権利を有する全員に持分に応じた金額を分配する。【選択図】　図１
2004046761.tif 000002
【特許請求の範囲】
【請求項１】
景品として宝くじを利用したネットワーク販売システムで、
（イ）　商品購入者は、商品購入金額に応じた持分の宝くじ当選金受取りの権利を景品として得ることができる。
（ロ）　紹介者が被紹介者を販売業者に紹介した場合、紹介者は、被紹介者が商品を購入する毎に、被紹介者の商品購入金額に応じた持分の宝くじ当選金受取りの権利を、被紹介者と共に景品として得ることができる。
（ハ）　被紹介者は、紹介者が商品を購入する毎に、紹介者の商品購入金額に応じた持分の宝くじ当選金受取りの権利を、紹介者と共に景品として得ることができる。
（ニ）　（ロ）に於いて紹介者は自らも一定期間内に商品を購入する必要があり、（ハ）に於いて被紹介者は自らも一定期間内に商品を購入する必要がある。
（ホ）　販売業者は宝くじを保管すると共に管理サーバーで持分等を管理し、当選発表数日前迄に該当するグループ内全部の宝くじ番号のリストを、宝くじ当選金受取りの権利を有する全員に送付し、抽選の結果グループ内から当選金が発生した場合は、グループ内に当選金受取りの権利を有する全員に、持分に応じた金額を分配する。
以上の如く構成された、宝くじを利用したネットワーク販売システム。
【発明の詳細な説明】
【０００１】
【発明の属する技術分野】
この発明は、宝くじを利用したネットワーク販売システムに関するものである。
【０００２】
【従来の技術】
従来より、景品として宝くじを利用する販売方法はあったが、単純かつ単発的に商品購入者に宝くじの現物を提供するようなものであった。宝くじ現物の提供ではなく、商品購入金額に応じた持分を宝くじ当選金受取りの権利として提供するような方法での、宝くじを利用したネットワーク販売システムはなかった。
【０００３】
【発明が解決しようとする課題】
本発明は、宝くじを単純かつ単発的に景品として利用するだけではなく、宝くじをより効果的かつ継続的に景品として利用できる販売システムを開発しようとするものである。
【０００４】
【課題を解決するための手段】
上記の課題を解決するための手段を説明すると、
（イ）　商品購入者は、商品購入金額に応じた持分の宝くじ当選金受取りの権利を景品として得ることができる。
（ロ）　紹介者が被紹介者を販売業者に紹介した場合、紹介者は、被紹介者が商品を購入する毎に、被紹介者の商品購入金額に応じた持分の宝くじ当選金受取りの権利を　被紹介者と共に景品として得ることができる。
（ハ）　被紹介者は、紹介者が商品を購入する毎に、紹介者の商品購入金額に応じた持分の宝くじ当選金受取りの権利を、紹介者と共に景品として得ることができる。
（ニ）　（ロ）に於いての紹介者や（ハ）に於いての被紹介者は、自らも一定期間内に商品を購入する必要がある。
（ホ）　販売業者は宝くじを保管すると共に管理サーバーで持分等を管理し、当選発表数日前迄に該当するグループ内全部の宝くじ番号のリストを、宝くじ当選金受取りの権利を有する全員に送付し、抽選の結果グループ内から当選金が発生した場合は、グループ内に当選金受取りの権利を有する全員に、持分に応じた金額を分配する。
【０００５】
【実施例】
Ａグループ（３０）の総口数を、宝くじ１００枚分に相当する１００口分に設定したと仮定し、更に商品購入者Ａ（３１）、商品購入者Ｂ（３２）、商品購入者Ｃ（３３）、商品購入者Ｄ（３４）のいずれもが同一期間内に１口分の商品を購入したと仮定して、実施例を図面を参照に説明すると、
（イ）　販売業者（１０）は商品購入者Ａ（３１）に、景品として商品購入金額に応じた１口分の宝くじ当選金を受取る権利がある旨の通知と共に、Ａグループ（３０）内の１００口分に相当する宝くじ１００枚分の宝くじ番号のリストを当選発表数日前迄に送付する。販売業者（１０）は抽選日迄宝くじを保管すると共に、管理サーバー（２０）のＡグループ（３０）内で持分等を管理し、そしてＡグループ（３０）内の宝くじ１００枚の中から当選金が発生した場合は、Ａグループ（３０）内に当選金受取りの権利を有する全員に、商品購入者それぞれの持分に応じた金額を分配する。この例の場合商品購入者Ａ（３１）の受取る分配金額は、Ａグループ（３０）内の合計当選金額の１００分の１となる。
（ロ）　商品購入者Ｂ（３２）の持分は、自らの１口分と被紹介者である商品購入者Ｃ（３３）の１口分から発生する０．５口分を加えた合計１．５口分となり、この例の場合商品購入者Ｂ（３２）の受取る分配金額は、Ａグループ（３０）内の合計当選金額の１００分の１．５となる。
（ハ）　商品購入者Ｃ（３３）の持分は、自らの１口分と被紹介者である商品購入者Ｄ（３４）の１口分から発生する０．５口分と、更に紹介者である商品購入者Ｂ（３２）の１口分から発生する０．５口分を加えた合計２口分となり、この例の場合商品購入者Ｃ（３３）の受取る分配金額は、Ａグループ（３０）内の合計当選金額の１００分の２となる。
（ニ）　商品購入者Ｄ（３４）の持分は、自らの１口分と紹介者である商品購入者Ｃ（３３）の１口分から発生する０．５口分を加えた合計１．５口分となり、この例の場合商品購入者Ｄ（３４）の受取る分配金額は、Ａグループ（３０）内の合計当選金額の１００分の１．５となる。
【０００６】
【発明の効果】
本発明は、以上説明したような形態で実施され、以下に記載されるような効果を奏する。
（イ）　本案の場合、紹介者は被紹介者の商品購入実績から景品を受取ることができ、被紹介者も紹介者の商品購入実績から景品を受取ることができ、平等に利益が生まれるようなシステムになっている。因って、従来の紹介によって販売拡大を目指すシステムにありがちな、紹介者に利益が傾くということもなく、新規の商品購入者も生まれやすくなり、商品の継続購入にも結び付きやすく、販売促進や販売拡大に効果がある。
（ロ）　本案の、持分に応じた宝くじ当選金受取りの権利での景品提供は、従来の宝くじの現物提供に比べ、多くの宝くじを共同所有できるようなシステムになっており、その分当選確率も高くなり、当選金を得るチャンスも高くなる。因って、販売促進や販売拡大により効果的である。
（ハ）　本案の場合、商品購入者は宝くじの保管管理という煩わしいことをすることもなく、販売業者から送られてくる宝くじ番号のリストで当選確認をするだけの、手軽におまけとしての当選金を得ることができるシステムなので、商品の継続購入にも結び付きやすく、販売促進や販売拡大に効果がある。
【図面の簡単な説明】
【図１】実施例を示す図である。
【符号の説明】
１０　販売業者
２０　管理サーバー
３０　Ａグループ
３１　商品購入者Ａ
３２　商品購入者Ｂで商品購入者Ｃの紹介者
３３　商品購入者Ｃで商品購入者Ｂの被紹介者でかつ商品購入者Ｄの紹介者
３４　商品購入者Ｄで商品購入者Ｃの被紹介者
４０　Ｂグループ
【図１】
2004046761.tif 000003